(57)【要約】【課題】コネクタの基板への装着を容易にする。【解決手段】コネクタ装着構造１０では、コネクタ１２がプリント配線板６６に装着される際に、係止爪５０が、突出部６４において押圧されて、撓み部５６において左右方向へ撓むことで、収容孔６８に挿通されて、プリント配線板６６に係止される。ここで、係止爪５０では、撓み部５６を構成する第１板部材５２Ａの板厚方向が、突出部６４の突出方向へ向けられている。このため、撓み部５６の左右方向における幅を小さくできるため、撓み部５６を左右方向へ撓み易くでき、コネクタ１２のプリント配線板６６への装着を容易にできる。【選択図】図１
2008027612.tif 000002
【特許請求の範囲】
【請求項１】
コネクタに設けられ、基板に係止されることで前記基板に前記コネクタが装着される係止爪と、
前記係止爪に突出して設けられ、前記基板に係合されることで前記基板に前記係止爪が係止される突出部と、
前記係止爪に前記突出部より基端側において設けられると共に、第１板部材により構成され、前記第１板部材の板厚方向が前記突出部の突出方向側へ向けられた撓み部と、
を備えたコネクタ装着構造。
【請求項２】
前記突出部は、第２板部材に形成され、かつ、前記第２板部材の面方向側へ突出された、ことを特徴とする請求項１記載のコネクタ装着構造。
【請求項３】
前記第１板部材と前記第２板部材とを同一の板部材にし、かつ、前記板部材を曲げて前記係止爪に前記突出部及び撓み部を設けた、ことを特徴とする請求項２記載のコネクタ装着構造。
【請求項４】
前記係止爪に前記突出部と前記撓み部との間において設けられ、面方向における幅が前記第１板部材の板厚より大きくされると共に、前記基板に設けられた収容孔に収容される収容部を備えた、ことを特徴とする請求項１乃至請求項３の何れか１項記載のコネクタ装着構造。
【発明の詳細な説明】
【技術分野】
【０００１】
本発明は、コネクタを基板に装着するコネクタ装着構造に関する。
【背景技術】
【０００２】
コネクタ装着構造としては、接続端子本体の係止爪部がプリント回路基板に係止されることで、接続端子本体がプリント回路基板に装着されたものがある（例えば、特許文献１参照）。
【０００３】
このコネクタ装着構造では、係止爪部の先端に突出部が設けられると共に、係止爪部の突出部より基端側に撓み部が設けられており、プリント回路基板の挿通孔周縁に突出部が押圧されて撓み部が一時的に撓みつつ、係止爪部が挿通孔に挿通されることで、突出部がプリント回路基板に係合されて、係止爪部がプリント回路基板に係止されている。
【０００４】
ここで、このようなコネクタ装着構造では、撓み部の突出部突出方向における幅を小さくすれば、係止爪部が突出部突出方向において撓み易くなる。これにより、係止爪部をプリント回路基板の挿通孔に挿通させ易くなって、係止爪部をプリント回路基板に係止させ易くなり、接続端子本体をプリント回路基板に容易に装着することができる。
【特許文献１】実開昭６３−１１７０６４号公報
【発明の開示】
【発明が解決しようとする課題】
【０００５】
本発明は、上記事実を考慮し、コネクタの基板への装着を容易にできるコネクタ装着構造を得ることを目的とする。
【課題を解決するための手段】
【０００６】
請求項１に記載のコネクタ装着構造は、コネクタに設けられ、基板に係止されることで前記基板に前記コネクタが装着される係止爪と、前記係止爪に突出して設けられ、前記基板に係合されることで前記基板に前記係止爪が係止される突出部と、前記係止爪に前記突出部より基端側において設けられると共に、第１板部材により構成され、前記第１板部材の板厚方向が前記突出部の突出方向側へ向けられた撓み部と、を備えている。
【０００７】
請求項２に記載のコネクタ装着構造は、請求項１に記載のコネクタ装着構造において、前記突出部は、第２板部材に形成され、かつ、前記第２板部材の面方向側へ突出された、ことを特徴としている。
【０００８】
請求項３に記載のコネクタ装着構造は、請求項２に記載のコネクタ装着構造において、前記第１板部材と前記第２板部材とを同一の板部材にし、かつ、前記板部材を曲げて前記係止爪に前記突出部及び撓み部を設けた、ことを特徴としている。
【０００９】
請求項４に記載のコネクタ装着構造は、請求項１乃至請求項３の何れか１項に記載のコネクタ装着構造において、前記係止爪に前記突出部と前記撓み部との間において設けられ、面方向における幅が前記第１板部材の板厚より大きくされると共に、前記基板に設けられた収容孔に収容される収容部を備えた、ことを特徴としている。
【発明の効果】
【００１０】
請求項１に記載のコネクタ装着構造では、コネクタに係止爪が設けられており、係止爪に突出して設けられた突出部が基板に係合されて、係止爪が基板に係止されることで、基板にコネクタが装着される。また、係止爪には、突出部より基端側において、撓み部が設けられている。
【００１１】
ここで、撓み部を構成する第１板部材の板厚方向が、突出部の突出方向側へ向けられている。このため、撓み部の突出部突出方向における幅を小さくすることができるため、撓み部を突出部突出方向において撓み易くすることができる。これにより、係止爪を基板に係止させ易くすることができ、コネクタの基板への装着を容易にすることができる。
【００１２】
請求項２に記載のコネクタ装着構造では、突出部が第２板部材に形成されており、突出部は、第２板部材の面方向側へ突出されている。このため、第２板部材を突出部を有する形状に切り抜き成形することで、第２板部材に突出部を容易に形成することができる。
【００１３】
請求項３に記載のコネクタ装着構造では、第１板部材と第２板部材とが同一の板部材にされており、板部材が曲げられて係止爪に突出部及び撓み部が設けられている。このため、撓み部を構成する第１板部材の板厚方向を突出部の突出方向側へ容易に向けることができ、係止爪に突出部及び撓み部を容易に設けることができる。
【００１４】
請求項４に記載のコネクタ装着構造では、係止爪に突出部と撓み部との間において収容部が設けられており、収容部は、基板に設けられた収容孔に収容される。
【００１５】
ここで、収容部の面方向における幅が第１板部材の板厚より大きくされている。このため、収容部が収容孔に設けられたはんだによって基板に固定される場合には、収容部を基板に強固に固定でき、コネクタを基板に強固に固定することができる。
【発明を実施するための最良の形態】
【００１６】
図１（Ａ）には、本発明の実施の形態に係るコネクタ装着構造１０が上方から見た平面図にて示され、図１（Ｂ）には、コネクタ装着構造１０が前方から見た正面図にて示され、図１（Ｃ）には、コネクタ装着構造１０が右方から見た断面図にて示されている。なお、図面では、コネクタ装着構造１０の前方を矢印ＦＲで示し、コネクタ装着構造１０の右方を矢印ＲＨで示し、コネクタ装着構造１０の上方を矢印ＵＰで示す。
【００１７】
本実施の形態に係るコネクタ装着構造１０は、コネクタ１２を備えている。
【００１８】
コネクタ１２は、樹脂製で略直方体形容器状のケース１４を有しており、ケース１４には、電子部品１６が装着されている。電子部品１６には、所定数の端子１８が設けられおり、端子１８は、ケース１４の下面に対し下方へ突出されている。
【００１９】
ケース１４の前部には、略直方体状の組付溝２０（組付孔）が形成されており、組付溝２０の上面及び下面は、開放されている。組付溝２０の右側面及び左側面は、上側から下側へ、挿入面２２、圧入面２４、嵌合面２６にされており、一対の挿入面２２間の左右方向距離は一対の圧入面２４間の左右方向距離に比し大きくされると共に、一対の圧入面２４間の左右方向距離は一対の嵌合面２６間の左右方向距離に比し大きくされている。さらに、挿入面２２と圧入面２４との間には、水平な上段面２８が形成されると共に、圧入面２４と嵌合面２６との間には、水平な下段面３０が形成されている。
【００２０】
組付溝２０の後面中央には、断面矩形状の挿入凹部３２が形成されており、挿入凹部３２は上下方向に沿って配置されると共に、挿入凹部３２の上面及び下面は開放されている。挿入凹部３２内には、断面三角形状の係止突起３４が形成されており、係止突起３４の前面は、下方へ向かうに従い前方へ向かう方向へ傾斜されると共に、係止突起３４の下面は、上下方向に対し垂直に配置されている。
【００２１】
ケース１４には、前端（組付溝２０の前側）において、平板状の前壁３６が設けられており、前壁３６は、組付溝２０の挿入面２２の上下方向中間部の高さから下側の部分に配置されている。
【００２２】
前壁３６には、左右方向中間部において、正面視矩形状の開放溝３８（開放孔）が貫通形成されており、開放溝３８は、組付溝２０に連通されると共に、上面及び下面が開放されている。開放溝３８の右側面及び左側面は、左右方向に対して垂直に配置されると共に、組付溝２０の嵌合面２６と面一にされている。
【００２３】
コネクタ１２は、装着部材としての金属製で略矩形板状のペグ４０を有しており（図２の（Ａ）乃至（Ｃ）参照）、ペグ４０は、ケース１４の組付溝２０に上方から挿入されて、ケース１４に組み付けられている。
【００２４】
ペグ４０の上部には、左右方向中央部分において、弾性を有する係止部４２が形成されており、係止部４２は、正面視半円状かつ側面視逆三角形状にされると共に、上面がペグ４０から分離されて水平に配置されている。係止部４２は、ペグ４０から後側へ突出されており、係止部４２の上面が挿入凹部３２内の係止突起３４下面に係止されることで、ペグ４０のケース１４に対する上方への移動が係止されている。
【００２５】
ペグ４０の上部には、左右方向両側部分において、略矩形板状の挿入部４４が形成されており、挿入部４４は、ペグ４０の左右方向外側へ突出されている。ペグ４０の挿入部４４が形成される高さ部位は、組付溝２０の一対の挿入面２２間に配置されており、挿入部４４が組付溝２０の上段面２８に係止されることで、ペグ４０のケース１４に対する下方への移動が係止されている。
【００２６】
ペグ４０の上下方向中間部には、左右方向両側部分において、略三角形板状の圧入部４６が形成されており、圧入部４６は、ペグ４０の左右方向外側へ突出されている。ペグ４０の圧入部４６が形成される高さ部位は、組付溝２０の一対の圧入面２４間に配置されており、圧入部４６が圧入面２４に圧入されることで、ペグ４０のケース１４に対する上方への移動が制限されている。
【００２７】
ペグ４０の下部には、左右方向両側部分において、略矩形板状の嵌合部４８が形成されており、嵌合部４８は、ペグ４０から下方へ延伸されている。嵌合部４８は、圧入部４６よりペグ４０の左右方向内側に配置されており、ペグ４０の嵌合部４８が形成される高さ部位は、組付溝２０の一対の嵌合面２６間に嵌合されている。
【００２８】
ペグ４０には、右側部分及び左側部分において、係止爪５０が切り出し形成されており（図３参照）、係止爪５０は、ケース１４の下面に対し下方へ突出されている。係止爪５０は、ペグ４０と一体の板部材５２により構成されており、板部材５２は、第１板部材５２Ａ、第２板部材５２Ｂ及び第３板部材５２Ｃが一体にされて構成されている。
【００２９】
係止爪５０の上端の後側部分は、曲板状の第３板部材５２Ｃにより構成されており、係止爪５０には、第３板部材５２Ｃ部分において、曲がり部５４が設けられている。第３板部材５２Ｃ（曲がり部５４）の後端は、ペグ４０と一体にされており、第３板部材５２Ｃ（曲がり部５４）は、ペグ４０に対し前側に９０°曲げられている（湾曲されている）。
【００３０】
係止爪５０の上側かつ前側の部分は、長尺平板状の第１板部材５２Ａにより構成されており、係止爪５０には、第１板部材５２Ａ部分において、撓み部５６が設けられている。第１板部材５２Ａ（撓み部５６）の上端は、第３板部材５２Ｃ（曲がり部５４）の前端と一体にされており、第１板部材５２Ａ（撓み部５６）は、上下方向へ延伸されている。第１板部材５２Ａ（撓み部５６）は、面方向（表面及び裏面の面方向）が左右方向に垂直にされると共に、板厚方向が左右方向へ向けられており、第１板部材５２Ａ（撓み部５６）は、前後方向における幅が左右方向における板厚以下にされている。
【００３１】
係止爪５０の下側部分は、略逆Ｌ字形平板状の第２板部材５２Ｂにより構成されている。第２板部材５２Ｂの上側部分のペグ４０左右方向外側端は、第１板部材５２Ａ（撓み部５６）の下端と一体にされており、第２板部材５２Ｂは、第１板部材５２Ａ（撓み部５６）に対しペグ４０左右方向内側へ９０°曲げられて（折り曲げられて）、面方向（表面及び裏面の面方向）が前後方向に垂直にされると共に、板厚方向が前後方向へ向けられている。
【００３２】
係止爪５０には、第２板部材５２Ｂの上側部分において、矩形板状の配置部５８が設けられており、配置部５８は、撓み部５６（第１板部材５２Ａ）の下端からペグ４０左右方向内方へ延伸されている。
【００３３】
係止爪５０には、第２板部材５２Ｂの下側部分の上部において、矩形板状の収容部６０が設けられており、収容部６０は、配置部５８のペグ４０左右方向内側端から下方へ延伸されると共に、左右方向（面方向）における幅が第１板部材５２Ａ（撓み部５６）の板厚より大きくされている。
【００３４】
係止爪５０には、第２板部材５２Ｂの下側部分の下部において、矩形板状の延伸部６２が設けられており、延伸部６２は、収容部６０の下端から下方へ延伸されている。
【００３５】
係止爪５０には、第２板部材５２Ｂの下側部分の下部において、略横台形板状（三角形板状であってもよい）の突出部６４が設けられており、突出部６４は、延伸部６２からペグ４０左右方向外方へ突出されている。
【００３６】
コネクタ１２は、基板としての平板状のプリント配線板６６に装着されている。
【００３７】
プリント配線板６６には、円状の収容孔６８が貫通形成されており、収容孔６８には、ペグ４０の係止爪５０が挿通されて、係止爪５０の収容部６０が収容されている。係止爪５０は、撓み部５６においてペグ４０左右方向内側へ撓んだ（弾性変形した）状態で、突出部６４においてプリント配線板６６下面の収容孔６８周縁に接触（係合）されて、プリント配線板６６に係止されており、突出部６４とケース１４との間にプリント配線板６６が挟持されることで、コネクタ１２がプリント配線板６６に装着されている。係止爪５０は、収容孔６８内に設けられたはんだ７０によって、プリント配線板６６に固定されており、これにより、コネクタ１２がプリント配線板６６に固定されている。
【００３８】
プリント配線板６６には、所定数の接続孔７２が貫通形成されており、接続孔７２には、ケース１４に設けられた電子部品１６の端子１８が挿通されている。端子１８は、接続孔７２内に設けられたはんだ７０によって、プリント配線板６６に固定されており、これにより、電子部品１６がプリント配線板６６に電気的に接続されている。
【００３９】
次に、本実施の形態の作用を説明する。
【００４０】
以上の構成のコネクタ装着構造１０では、コネクタ１２がプリント配線板６６に装着される際に、ペグ４０の一対の係止爪５０が、突出部６４においてプリント配線板６６の収容孔６８周縁に押圧されて、撓み部５６においてペグ４０左右方向内側へ撓むことで、収容孔６８に挿通される。これにより、一対の係止爪５０が、撓み部５６の復元力（弾性力）によって、突出部６４においてプリント配線板６６下面の収容孔６８周縁に接触されて、プリント配線板６６に係止される。
【００４１】
ところで、図４の（Ａ）及び（Ｂ）に示す如く、仮に、係止爪９０が平板状に形成され、かつ、係止爪９０の長手方向（上下方向）へ延伸された撓み部９２の幅が一定にされると共に、係止爪９０先端の突出部９４が撓み部９２の幅方向（左右方向）へ突出されたとする。この場合、係止爪９０の撓み荷重（係止爪９０を撓ませるための左右方向に沿った荷重）をＰとし、係止爪９０の前後方向における板厚をｂとし、撓み部９２の左右方向における幅をｄとし、係止爪９０の基端から撓み荷重Ｐの作用点までの上下方向長さをＬとし、係止爪９０の撓み荷重Ｐ作用点における撓み荷重Ｐによる左右方向への変位量をＹとし、係止爪９０のヤング率をＥとすると、係止爪９０の撓み荷重Ｐは、
Ｐ＝ｂｄ３ＥＹ／（４Ｌ３）
となる。このため、係止爪９０の撓み部９２の幅ｄは、係止爪９０の撓み荷重Ｐの増減に、３乗で影響する。
【００４２】
ここで、本実施の形態における係止爪５０では、撓み部５６を構成する第１板部材５２Ａの板厚方向が、突出部６４の突出方向（左右方向）へ向けられている。このため、撓み部５６の左右方向における幅を小さくすることができるため、撓み部５６を左右方向において撓み易くすることができる。これにより、係止爪５０を収容孔６８に挿通させ易くなって、係止爪５０をプリント配線板６６に係止させ易くなり、コネクタ１２をプリント配線板６６へ装着するための力を効果的に小さくすることができて、コネクタ１２のプリント配線板６６への装着を容易にすることができる。
【００４３】
また、突出部６４は、形成される第２板部材５２Ｂの面方向へ突出されている。このため、第２板部材５２Ｂを突出部６４を有する形状に打ち抜き（切り抜き）成形することで、第２板部材５２Ｂに突出部６４を容易に形成することができる。
【００４４】
さらに、板部材５２が、撓み部５６を構成する第１板部材５２Ａと突出部６４が形成される第２板部材５２Ｂとの境界部分において、９０°曲げられることで、係止爪５０に突出部６４及び撓み部５６が設けられている。このため、第１板部材５２Ａの板厚方向を突出部６４の突出方向へ容易に向けることができ、係止爪５０に突出部６４及び撓み部５６を容易に設けることができる。
【００４５】
また、第２板部材５２Ｂに収容部６０が形成されているため、撓み部５６の左右方向における幅を大きくすることなく（撓み部５６が左右方向において撓みにくくなることを防止しつつ）、収容部６０の左右方向（第２板部材５２Ｂ面方向）における幅を大きくすることができる。このため、はんだ７０によって収容部６０をプリント配線板６６に強固に固定でき、コネクタ１２をプリント配線板６６に強固に固定することができる。
【００４６】
なお、本実施の形態では、撓み部５６と配置部５８との境界部分を曲げることで、第１板部材５２Ａ（撓み部５６）の板厚方向を突出部６４の突出方向へ向けた構成としたが、延伸部６２と突出部６４との境界部分を曲げることで、第１板部材５２Ａ（撓み部５６）の板厚方向を突出部６４の突出方向へ向けた構成としてもよい。
【図面の簡単な説明】
【００４７】
【図１】（Ａ）乃至（Ｃ）は、本発明の実施の形態に係るコネクタ装着構造を示す図であり、（Ａ）は、上方から見た平面図であり、（Ｂ）は、前方から見た正面図であり、（Ｃ）は、右方から見た断面図である。
【図２】（Ａ）乃至（Ｃ）は、本発明の実施の形態に係るコネクタ装着構造のペグを示す図であり、（Ａ）は、上方から見た平面図であり、（Ｂ）は、前方から見た正面図であり、（Ｃ）は、右方から見た側面図である。
【図３】本発明の実施の形態に係るコネクタ装着構造における右側の係合爪を示す前斜め右方から見た斜視図である。
【図４】（Ａ）及び（Ｂ）は、一般的な平板状の係止爪を示す図であり、（Ａ）は、前方から見た正面図であり、（Ｂ）は、上方から見た断面図である。
【符号の説明】
【００４８】
１０    コネクタ装着構造
１２    コネクタ
５０    係止爪
５２    板部材
５２Ａ  第１板部材
５２Ｂ  第２板部材
５６    撓み部
６０    収容部
６４    突出部
６６    プリント配線板（基板）
６８    収容孔
【図１】
2008027612.tif 000003
【図２】
2008027612.tif 000004
【図３】
2008027612.tif 000005
【図４】
2008027612.tif 000006